(57)【要約】      （修正有）【課題】杉材の持つ空気浄化機能と鎮静効果物質の放出という最大のストロングポイントを最大限に生かした赤身部と白太部が略同等の割合で存在するこぐち部を表面に露出させた壁用木質パネルを提供する。【解決手段】自然乾燥もしくは５０℃以下の状態の低温乾燥をさせた複数の木片からなる杉材の赤身部５と白太部６のこぐち部をその表面に露出させて、加圧接着結合させた壁用木質パネル７であって、通常板目材の１００倍の反応速度での吸放出を繰り返す過程で、杉材の吸引時には空気中の二酸化窒素などの化学物質を吸着固定化することによって空気を浄化し、また放出時にはセドロールなどの鎮静効果物質の放出を繰り返しおこなう。【選択図】図５
0003202118.tif 000002
【実用新案登録請求の範囲】
【請求項１】
自然乾燥又は低温乾燥させた複数の木片からなる杉材の、赤身部と白太部の一方又はそれぞれを含むこぐちを表面に露出させてなる木片の結合部に接着剤を介して加圧接着結合させたことを特徴とする壁用木質パネル。
【請求項２】
前記杉材の赤身部と白太部の割合を略同等としたことを特徴とする請求項１に記載の壁用木質パネル。
【請求項３】
前記結合部の少なくとも一方向が一直線に結合していることを特徴とする請求項１に記載の壁用木質パネル。
【請求項４】
前記接着剤を酢酸ビニル樹脂系エマルジョン型接着剤としたことを特徴とする請求項１に記載の壁用木質パネル。
【請求項５】
前記乾燥の温度を５０℃以下としたことを特徴とする請求項１に記載の壁用木質パネル
【請求項６】
前記赤身部を色の薄い赤身部よりも濃い赤身部の量を多くしたことを特徴とする請求項１に記載の壁用木質パネル
【請求項７】
前記杉材の樹齢を８０年〜１００年とした高樹齢材としたことを特徴とする請求項１に記載の壁用木質パネル
【考案の詳細な説明】
【技術分野】
【０００１】  本考案は日本固有種である杉材を自然乾燥か低温乾燥後に１５０ミリ〜１５ミリ程度の任意の幅であって、厚みは６０ミリ〜１５ミリ程度のやはり任意の厚みに加工して、それらの木材に幅はぎ加工を施し、幅が３００ミリ〜９００ミリといった、ある程度の幅を持つ厚みが４０ミリ〜１５ミリの板を製造後、その板を完成後の壁用木質パネルの厚みに多少余裕を持たせた長さで切断して、再度、幅はぎ加工を施し加圧接着結合して、杉材の赤身部と白太部のこぐち部が表裏面に露出している壁用木質パネルに関する。
【背景技術】
【０００２】  我が国は、森林が国土の３分の２を占める森林大国であるが、そのうちの約４５％が人工林であり、更にその内訳をみると、スギが４４％あまりを占めている。荒廃した国土の森林の再生と疲弊する林産地の産業の再構築の為には、植林では無く、杉の活用が最重要である。「植えるのではなく使う」ことが重要なスタートである。されど杉材が身近にあっての期待できる効果などは、きわめてあいまいであって、なかなか杉の出口に結びついていなかったが、最近の研究では、杉は保有する豊富な抽出成分を源に空気中に存在する二酸化窒素などの化学物質を吸引して桧の約６倍にもなる空気浄化作用があることがわかっているばかりか、また芳香として私たちが感ずる精油分にはセドロールなどの鎮静効果のある恩恵物質の放出も確認されてきた。
【先行技術文献】
【特許文献】
【０００３】
【特許文献１】  特開２００７−１５１１４  小径木を利用した木質パネル及びその製造方法
【０００４】
【特許文献２】  実用新案登録第３１７７９９７号  日本杉（Ｃｒｙｐｔｏｍｅｒｉａ  Ｊａｐｏｎｉｃａ）赤身角材を切断して作った木口面状板を平面状に接合した木口面露出板
【考案の概要】
【考案が解決しようとする課題】
【０００５】  特許文献１のものは、木材のこぐち部をパネル化するという点について開示されている。しかし、杉材が持つ、他樹種と比較しての大きな空気浄化機能や、杉の芳香内に含まれているセドロールなどの各種の恩恵物質に関する言及がまったく無い。言わば不要材の有効利用の範囲を出ないもので、杉材の持つ最大のストロングポイントである屋内空気質の劇的改善と鎮静効果物質を理解していないので、杉材そのものに付加価値と経済的な価値を見いだせていない。【０００６】  特許文献２のものは、杉材が持つ空気浄化機能と鎮静効果という恩恵にも言及しているが、赤身部のみの使用としている。たしかに赤身部は空気浄化の根源たる抽出成分や鎮静効果物質を含む精油分は豊富だが、白太部は保有する水による空気浄化機能は赤味部とほぼ同等であり、かつ呼吸時の調湿量は赤身部より多い部位なので、白太部には大量の除湿・加湿という別の恩恵がある。また、赤身部のみでは視覚的にも自然界のオンリーワンの木目の文様を認識しづらく、白太が混在することによってはじめて、そのこぐち部の各木片の部位が丸太のどのあたりの場所にあるものなのか？どのくらいの太さの丸太だったのか？などの想像が広がって、子どもたちの情操教育に役立つものである。そしてやはり人工的な仮導管の露出により杉の各種の恩恵を高める狙いの、杉板にスリットを施した製品が製作されているが、その外観はいかにも人造物たる造詣であって、自然界のもののみがもつ、ゆらぎのデザインとはかけ離れたものになっている。残念ながら森の恵みを得るという外観ではない。【０００７】  杉が身近にあっての我々の最大の恩恵である、空気浄化機能と鎮静効果のある恩恵物質の放出は主に仮導管を通しておこなわれる。ようするに、その存在全てが仮導管と言っても良いこぐち部は通常に使用される杉材の板目部の約１００倍のスピードで吸放出活動をタイトに俊敏性をもっておこなっているのである。逆に板目材では数百年前に建造された杉材からも空気浄化や鎮静効果物質の源である各種抽出成分や精油分は検出されているので、屋内での使用では、人間の時間軸から考えると半永久的かのような杉材の効能であるが、こぐち部が全てである壁用木質パネルを製造することによって、従来のやがてジワジワと恩恵が来るような感覚から、効果に対して極めて瞬発力を持った結果が期待できる。
【課題を解決するための手段】
【０００８】  第１の考案は、自然乾燥又は低温乾燥させた複数の木片からなる杉材の、赤身部と白太部の一方又はそれぞれを含むこぐちを表面に露出させてなる木片の結合部に接着剤を介して加圧接着結合させたことを特徴とする壁用木質パネル。【０００９】  第２の考案は、複数の木片からなる杉材の赤身部と白太部の割合を略同等としたことを特徴とする壁用木質パネル。【００１０】  第３の考案は、複数の木片からなる杉材結合部の少なくとも一方向が一直線に結合していることを特徴とする壁用木質パネル。【００１１】  第４の考案は、複数の木片からなる杉材結合部に介する接着剤を酢酸ビニル樹脂系エマルジョン型接着剤としたことを特徴とする壁用木質パネル。【００１２】  第５の考案は、杉材乾燥の温度を５０℃以下としたことを特徴とする壁用木質パネル【００１３】  第６の考案は、木片の赤身部を色の薄い赤身部よりも色の濃い赤身部の量を多くしたことを特徴とする壁用木質パネル【００１４】  第７の考案は、杉材の樹齢を８０年〜１００年としたことを特徴とする壁用木質パネル
【考案の効果】
【００１５】  上述の第１の考案によると、杉製の木質パネルは、その表面にはこぐち部しか存在しないパネルであるので、通常の板目材に比較して、湿度変化時の杉材の吸放出効果＝呼吸スピードが約１００倍になる。杉材が身近にあっての、我々の最大の恩恵である空気浄化機能と杉材内からのセドロールなどの鎮静効果物質の放出が、やはり通常の杉材の１００倍のスピードで高次元高効率にておこなわれる。すなわち杉のストロングポイントを最大に発揮できる仕様であって、導入は最小限の１枚からという最小単位での入手が可能になる高品質な木質パネルの実現である。【００１６】  更に白太部は空気浄化能力に関しては赤身部に劣るが、湿度調整能力の容量は赤身部に比べて高い。あえて赤身部と白太部を混在させることにより、多湿な夏季や過乾燥の冬季の除湿加湿という調湿能力が高くなる。【００１７】  第２の考案によると、空気浄化能力の高い抽出成分と精油分が豊富な赤身部だけでなく、意図的に量的に同程度混在させた白太部により、大きなコストダウンが実現できる。【００１８】  更に赤身部だけでなく、こぐち部にあえて意図的に混在させた白太部により、小さなこぐちの木片を見ても、その元々の丸太の大きさがわかるようになる。白太部の幅は総じてほぼ２０年程度なので、たとえ小さくても白太と赤身部の両方が混在するこぐち木片を見れば、丸太の外周部の太さの輪郭がだいたいイメージできるのである。そこから丸太の内側にイメージを移せば、まるでゆで卵の黄身と白身のような杉の赤身部と白太部の境目と更には樹芯部さえも想像できるのである。このように、こぐち部にあえて赤身部と白太部を混在させることによって、数センチ角の小さな木片のこぐち部をみるだけで、その杉材のもともとの丸太の太さや、目前のこぐち木片が想像上の大きな丸太のどこの部位なのかがわかり、更には樹芯部や推定樹齢さえも想像できるようになる。人の顔と同じ様に同一文様が存在しないオンリーワンの木目を見て、子ども達は、樹齢１００年の大木像さえもイメージできるようになる。赤身部と白太部を意図的に混入させることにより、このような子どもたちの情操教育の貢献という効果が可能になる【００１９】  第３の考案によると、結合部のどちらか一方向が一直線になるように加圧接着結合することによって、生産性の向上とコストダウンが図れる。【００２０】  第４の考案によると、加圧接着結合する際の接着剤を扱いやすい酢酸ビニルエ系マルジョン型接着剤に限定することによって、製造時の精度が向上する。また、同じ酢酸ビニル系エマルジョン型接着剤でも粘度１５．０〜５０Ｐａ・ｓという、通常製品より３４％ほど粘性が固く、高価にはなるが耐水性さえも併せ持つタイプの酢酸ビニル系エマルジョン型接着剤を使用することによって、高強度であって更に様々な環境下においても著しい劣化につながりづらく、更には杉材内部に接着剤が侵入しづらいという健康面を考えても安心な製品につながる。【００２１】  第５の考案によると、木材は著しい未乾燥状態で加工製造すると、水分が放出される過程で体積が変化するので、割れや変形といった材の形状変化が起こる。そして杉はその水分保持量が多いので、その影響が大きい。それを防ぐ為に木材を乾燥さ���てから加工するのだが、ほとんどの植物の保有する抽出成分の沸点は地球上に存在する温度であるから、人工乾燥機を使った場合でも５０℃を上限とする乾燥温度としないと空気浄化と鎮静効果の源の抽出成分と精油分が流出してしまった杉材になってしまって、それらで製造した壁用木質パネルでは前述してきた効果が無くなってしまう。自然乾燥や低温乾燥後の杉材を使うことによって効果は安定的に発揮される。【００２２】  第６の考察によると、個体差がある赤身部の中でも、黒心と呼ばれるまるで黒色かのような赤身部を含んだ濃い赤身部は、抽出成分と精油分が色の薄い赤身部と比較して多く含まれる。このような黒心と呼ばれる赤身部を含んだ色の濃い赤身部を多く使うことにより、豊富な抽出成分による空気浄化能力の増大と豊富な精油分による鎮静効果物質の増大をもたらす。【００２３】  第７の考案によると、杉材の恩恵の源である抽出成分・精油分の種類とその量は一般的に樹齢に比例するので、この壁用木質パネルの素材は、やはり高樹齢の杉の方が各種の効果が高いと考えられる。樹齢で言うと４０年〜５０年くらいの杉材でも製作は可能だが、樹齢８０年〜１００年の杉の方が空気浄化機能と鎮静効果物質の放出はより高効率高次元である。そして更に高樹齢である樹齢１５０年〜２００年の杉で壁用木質パネルを製造すれば、更なる高次元高効率な空気浄化機能と鎮静効果物質の放出の恩恵が見込めるのであるが、実際にはそこまでの高樹齢材の丸太となると、単位体積当たりの価格が５倍〜１０倍という高価格になるだけでなく入手さえも困難であるので、やはり樹齢８０年〜１００年程度の高樹齢材がもっとも空気浄化機能と鎮静効果物質の放出とコストのバランスがとれている。
【図面の簡単な説明】
【００２４】
【図１】生産工程の第１である、杉材のムメ加工終了時を表したものである。
【図２】生産工程の第２である、杉材の幅はぎ加工終了時を表したものである。
【図３】生産工程の第３である、幅はぎ加工材の切断加工終了時を表したものである。
【図４】生産工程の第４である、再接合加工終了時を表したものである。
【図５】壁用木質パネルの赤身部と白太部の混在を表したものである。
【図６】壁用木質パネルとまったく同寸法の通常の板目材とを対比した写真である。左右のパネルではその効果に１００倍のスピード差がある。
【図７】壁用木質パネルを壁に張った写真である。
【図８】壁用木質パネルを壁に直接張らずに浮かせて設置することにより、裏面での空気浄化機能と鎮静効果物質の放出をもうながして、それらの効果を２倍にした使用事例。
【図９】壁用木質パネルの小さな木片を視認して、その杉材の元々の太さや大きさの想像ができることを図で示したものである。
【考案を実施するための形態】
【００２５】  以下、本考案に係る杉材による木製壁用木質パネルの好適な実施例を図面に基づいて説明する。
【実施例】
【００２６】  図１〜図５は実施例を示し、図１に示す状態は自然乾燥又は５０℃以下で低温乾燥した、任意の長さと幅と厚みにおいて、一般には板目２と柾目１とこぐち３がそれぞれ２面存在する６面の形を持つ杉材のムメ加工終了時の形態を示す。【００２７】  図２に示された状態はムメ加工された杉材を粘度１５．０〜５０Ｐａ・ｓという通常の酢酸ビニルエマルジョン型接着剤の２０．０〜６０Ｐａ・Ｓより３４％も粘度の高い酢酸ビニルエマルジョン型接着剤４によって幅はぎ加工されて、左右の杉材が加圧接着結合され、その終了時の形態を表したものである。幅はぎ加工された杉材のこぐち３面には赤身５と白太部６が略同等に混在することがわかる。【００２８】  図３に示された状態は、前記幅はぎ加工された杉材を、壁用木質パネル７の最終仕上がり厚み寸法に準じた厚みに切断した状態を表したものである。【００２９】  図４は図３の際に切断された杉材のこぐち３面をパネルの表裏部になるような状態に据えて、再度酢酸ビニル系エマルジョン型接着剤４によって加圧接着結合した状態を示したものである。この図では左右の方向となるが、１方向どちらかが一直線に並んで結合することによって加圧接着結合事の生産性が上がる。【００３０】  図５は再接合後の壁用木質パネル７の表裏面の状態である。表裏面ともに、その全ての吸放出活動が板目２に比較して１００倍の俊敏性を持つこぐち３の状態になり、赤身部５と白太部６の割合が略同等とした状態となる。この状態のパネルであって特に高樹齢であって赤身部５の色が濃い木片が多く混入されていれば、それらはより大量の抽出成分と精油分を含むので、色の薄い赤身部５のものと比較して空気浄化機能と鎮静効果物質の放出も増大する。【００３１】  図７は製造した壁用木質パネル７を側壁８と天井壁９に設置した写真である。ここで言う壁は側壁８と天井壁９を含む。壁用木質パネル７は板目２材の１００倍のスピードで空気浄化機能と鎮静効果物質の放出を高次元高効率でおこなうので、壁など屋内空気と多く接する場所に取り付ける事によって空気浄化機能と鎮静効果物質の放出をすみやかに発揮する。【００３２】  前述の壁用木質パネルは、そこに存在するだけで、一切のエネルギーも使わずに、スイッチの入れ忘れも無く、湿度変化時に空気浄化機能と鎮静効果物質の放出を繰り返してくれる。だから、屋内の空気と接する壁などに取り付けることによって、効果が発揮される。更には図８にあるように、設置する際に壁用木質パネルを壁に直接張らずに壁より浮かせて設置することにより、裏面のこぐちによる空気浄化機能と鎮静効果物質の放出が裏面でも活発に働いてその効果は２倍近くになる。【００３３】  前述の壁用木質パネルは視認することによる子ども達の情操教育の下支えにもなるので、子どもの勉強机の脇の壁に取り付けることによって、空気浄化機能や鎮静効果物質による集中力アップだけでなく、それらの効果への宛先が、森の恵みに感謝のような奥行きの深い環境・情操教育への効果も得られる。【００３４】  ６〜８時間にも及び、その場所を動かずに呼吸を続けるという、睡眠時の呼吸器系器官のそばに、この壁用木質パネルを設置するという利用が効率としては良いが、会議室や荷物検査エリアなどの一定の心的プレッシャーがかかりながら、人々が動かずにいる場所や、チャイルドルームエリアなどの、お子さんが遊ぶエリアなど、通常板目材の１００倍の速さの俊敏性で「呼吸」して、吸放出を繰り返して、汚染化学物質の吸引と鎮静効果物質の放出を続けてくれるという、壁用木質パネルは、それがそこに存在するだけで、人の笑顔をつなげていく素材となるはずで、逆に設置に向かない場所は存在しないのではないだろうか。
【産業上の利用可能性】
【００３５】  本考案は日本固有種である杉材を自然乾燥か低温乾燥後に任意の厚みに加工、加圧接着結合して、杉材の赤身部と白太部のこぐち部が表裏面に露出している壁用木質パネルに関するものであり、室内環境の改善などに利用できる。
【符号の説明】１  柾目
２  板目
３  こぐち
４  酢酸ビニル系エマルジョン型接着剤
５  赤身部
６  白太部
７  壁用木質パネル
８  側壁
９  天井壁
【図１】
0003202118.tif 000003
【図２】
0003202118.tif 000004
【図３】
0003202118.tif 000005
【図４】
0003202118.tif 000006
【図５】
0003202118.tif 000007
【図６】
0003202118.tif 000008
【図７】
0003202118.tif 000009
【図８】
0003202118.tif 000010
【図９】
0003202118.tif 000011